(57)【要約】【課題】映像情報及び文字情報を含む映像データをマルチディスプレイに表示する際に、映像情報が連続して表示され、文字情報の一部が欠落することがない表示制御装置を提供する。【解決手段】信号分離部１１は映像情報信号と文字情報信号とを分離する。映像情報信号スケーリング部１２は、映像情報信号を、単位ディスプレイＤ１１〜Ｄ３３のベゼルの部分に相当する部分を除いてスケーリングして、表示領域に表示する映像情報部分信号を抽出する。文字情報信号スケーリング部１３は、ベゼルの部分に相当する部分を除くことなくスケーリングして、表示領域に表示する文字情報部分信号を生成する。映像・文字重畳部１４は、映像情報部分信号に文字情報部分信号を重畳させて、対応するそれぞれの単位ディスプレイＤ１１〜Ｄ３３のフレーム信号として個別供給する。【選択図】図１
2013171054.tif 000002
【特許請求の範囲】
【請求項１】
複数の単位ディスプレイを水平方向と垂直方向との少なくとも一方に並べて配置したマルチディスプレイに映像情報と文字情報とを含む映像データを表示させる表示制御装置であり、
前記映像データから分離された前記文字情報以外の前記映像情報を含む映像情報信号の１画面を前記マルチディスプレイに１画面として表示させる際に、前記映像情報信号から、水平方向または垂直方向に隣り合う前記単位ディスプレイのベゼルに相当する部分を除き、前記単位ディスプレイそれぞれの表示領域に表示すべき領域の映像情報部分信号を抽出するようスケーリングする映像情報信号スケーリング部と、
前記映像データから分離された前記文字情報信号の１画面を前記マルチディスプレイに１画面として表示させる際に、水平方向または垂直方向に隣り合う前記単位ディスプレイのベゼルに相当する部分を除くことなく、前記文字情報信号の１画面を前記マルチディスプレイに含まれる前記単位ディスプレイの数で分割して、前記単位ディスプレイそれぞれの表示領域に表示すべき領域の文字情報部分信号を生成するようスケーリングする文字情報信号スケーリング部と、
前記映像情報信号スケーリング部より出力された前記映像情報部分信号に、前記文字情報信号スケーリング部より出力された前記文字情報部分信号を重畳させて、対応するそれぞれの単位ディスプレイのフレーム信号として個別に供給する映像・文字重畳部と、
を備えることを特徴とする表示制御装置。
【請求項２】
前記映像データから前記文字情報以外の前記映像情報を含む映像情報信号と、前記文字情報を含む文字情報信号とを分離する分離部を有し、
前記映像データは、前記映像情報信号に対して前記文字情報信号が重畳されて、互いに分離可能な文字情報多重映像データであり、
前記分離部は、前記映像情報信号と前記文字情報信号とを分離する信号分離部であることを特徴とする請求項１記載の表示制御装置。
【請求項３】
前記映像データから前記文字情報以外の前記映像情報を含む映像情報信号と、前記文字情報を含む文字情報信号とを分離する分離部を有し、
前記映像データは、画面の一部に文字情報を含む映像データであり、
前記分離部は、前記映像データから前記文字情報を抽出する文字情報抽出部を有して、前記文字情報以外の映像情報と前記文字情報とを分離する映像・文字分離部であることを特徴とする請求項１記載の表示制御装置。
【請求項４】
前記表示制御装置は、前記複数の単位ディスプレイそれぞれと１対１で個別に接続されていることを特徴とする請求項１〜３のいずれか１項に記載の表示制御装置。
【請求項５】
複数の単位ディスプレイを水平方向と垂直方向との少なくとも一方に並べて配置したマルチディスプレイに映像情報と文字情報とを含む映像データを表示させる表示制御方法であり、
前記映像データから分離された前記文字情報以外の前記映像情報を含む映像情報信号の１画面を前記マルチディスプレイに１画面として表示させる際に、前記映像情報信号から、水平方向または垂直方向に隣り合う前記単位ディスプレイのベゼルに相当する部分を除き、前記単位ディスプレイそれぞれの表示領域に表示すべき領域の映像情報部分信号を抽出するようスケーリングし、
前記映像データから分離された前記文字情報信号の１画面を前記マルチディスプレイに１画面として表示させる際に、水平方向または垂直方向に隣り合う前記単位ディスプレイのベゼルに相当する部分を除くことなく、前記文字情報信号の１画面を前記マルチディスプレイに含まれる前記単位ディスプレイの数で分割して、前記単位ディスプレイそれぞれの表示領域に表示すべき領域の文字情報部分信号を生成するようスケーリングし、
前記映像情報部分信号に前記文字情報部分信号を重畳し、
前記映像情報部分信号と前記文字情報部分信号との重畳信号を対応するそれぞれの単位ディスプレイのフレーム信号として個別に供給する
ことを特徴とする表示制御方法。
【請求項６】
前記映像データは、前記映像情報信号に対して前記文字情報信号が重畳されて、互いに分離可能な文字情報多重映像データであり、
前記映像情報信号と前記文字情報信号とを信号分離することを特徴とする請求項５記載の表示制御方法。
【請求項７】
前記映像データは、画面の一部に文字情報を含む映像データであり、
前記映像データから前記文字情報を抽出し、
前記文字情報以外の映像情報と前記文字情報とを分離する
ことを特徴とする請求項５記載の表示制御方法。
【発明の詳細な説明】
【技術分野】
【０００１】
本発明は、複数の単位ディスプレイを例えばマトリクス状に配置したマルチディスプレイに映像データを表示させるに際し、１画面をそれぞれの単位ディスプレイの領域に分割してマルチディスプレイ全体として１画面を表示させる表示制御装置及び表示制御方法関する。
【背景技術】
【０００２】
多くの人が集まるショッピングモールや公共の施設等において、各種の情報を提示するために、１つのディスプレイ単体である単位ディスプレイを水平方向及び垂直方向のマトリクス状に複数配置したマルチディスプレイが使用される場合がある（特許文献１参照）。マルチディスプレイに映像データを表示する際には、映像データの１画面をそれぞれの単位ディスプレイの領域に分割し、マルチディスプレイ全体として１画面を表示させることが多い。
【先行技術文献】
【特許文献】
【０００３】
【特許文献１】特開２００１−９２４３１号公報
【発明の概要】
【発明が解決しようとする課題】
【０００４】
単位ディスプレイの映像表示面の周囲部はベゼルとなっているので、マルチディスプレイの互いに隣り合う単位ディスプレイ間にはベゼルの幅の間隔が存在する。従って、１画面を単純に単位ディスプレイの数で分割して、対応する単位ディスプレイに表示すると、単位ディスプレイの境界部においては映像情報が連続しない。そこで、単位ディスプレイのベゼルの幅を考慮して、それぞれの単位ディスプレイに表示する映像データの領域を計算し、単位ディスプレイの境界部において映像情報が連続するように映像データを表示させるシームレス方式と称される表示方法がある。シームレス方式では、左右または上下に隣り合う単位ディスプレイ間のベゼルの部分に相当する映像データの部分は表示されないことになる。
【０００５】
マルチディスプレイにシームレス方式によって映像データを表示すると、一般的な動画等であれば違和感のない好ましい表示となるので、不都合は発生しない。ところが、映像データに電話番号やＵＲＬ等の文字情報が含まれている場合には、文字情報の一部がベゼルの部分に位置すると文字情報の一部が欠落してしまい、マルチディスプレイを見ている人は文字情報を正しく認識することができないという問題点があった。
【０００６】
この問題点を解消するためにはシームレス方式による表示を行わないようにすればよいが、上記のように映像情報が連続せず違和感を生じてしまうので好ましくない。そこで、シームレス方式を採用しつつ、文字情報が含まれている場合に文字情報を正しく認識することができる表示制御装置及び表示制御方法が求められている。
【０００７】
本発明はこのような要望に対応するため、映像情報及び文字情報の双方を含む映像データをマルチディスプレイに表示する際に、映像情報が連続して表示されて違和感が生じることなく、しかも、文字情報の一部が欠落することなく文字情報を正しく認識することができる表示制御装置及び表示制御方法を提供することを目的とする。
【課題を解決するための手段】
【０００８】
本発明は、上述した従来の技術の課題を解決するため、複数の単位ディスプレイ（Ｄ１１〜Ｄ３３）を水平方向と垂直方向との少なくとも一方に並べて配置したマルチディスプレイに映像情報と文字情報とを含む映像データを表示させる表示制御装置であり、前記映像データから分離された前記文字情報以外の前記映像情報を含む映像情報信号の１画面を前記マルチディスプレイに１画面として表示させる際に、前記映像情報信号から、水平方向または垂直方向に隣り合う前記単位ディスプレイのベゼルに相当する部分を除き、前記単位ディスプレイそれぞれの表示領域に表示すべき領域の映像情報部分信号を抽出するようスケーリングする映像情報信号スケーリング部（１２）と、前記映像データから分離された前記文字情報信号の１画面を前記マルチディスプレイに１画面として表示させる際に、水平方向または垂直方向に隣り合う前記単位ディスプレイのベゼルに相当する部分を除くことなく、前記文字情報信号の１画面を前記マルチディスプレイに含まれる前記単位ディスプレイの数で分割して、前記単位ディスプレイそれぞれの表示領域に表示すべき領域の文字情報部分信号を生成するようスケーリングする文字情報信号スケーリング部（１３）と、前記映像情報信号スケーリング部より出力された前記映像情報部分信号に、前記文字情報信号スケーリング部より出力された前記文字情報部分信号を重畳させて、対応するそれぞれの単位ディスプレイのフレーム信号として個別に供給する映像・文字重畳部（１４）とを備えることを特徴とする表示制御装置を提供する。
【０００９】
上記の表示制御装置において、前記映像データから前記文字情報以外の前記映像情報を含む映像情報信号と、前記文字情報を含む文字情報信号とを分離する分離部（１１）を有していてよい。前記映像データは、前記映像情報信号に対して前記文字情報信号が重畳されて、互いに分離可能な文字情報多重映像データであってよく、前記分離部は、前記映像情報信号と前記文字情報信号とを分離する信号分離部とすることができる。
【００１０】
上記の表示制御装置において、前記映像データから前記文字情報以外の前記映像情報を含む映像情報信号と、前記文字情報を含む文字情報信号とを分離する分離部（２１）を有していてよい。前記映像データは、画面の一部に文字情報を含む映像データであってよく、前記分離部は、前記映像データから前記文字情報を抽出する文字情報抽出部を有して、前記文字情報以外の映像情報と前記文字情報とを分離する映像・文字分離部とすることができる。
【００１１】
上記の表示制御装置において、前記表示制御装置は、前記複数の単位ディスプレイそれぞれと１対１で個別に接続されていてもよい。
【００１２】
また、本発明は、上述した従来の技術の課題を解決するため、複数の単位ディスプレイを水平方向と垂直方向との少なくとも一方に並べて配置したマルチディスプレイに映像情報と文字情報とを含む映像データを表示させる表示制御方法であり、前記映像データから分離された前記文字情報以外の前記映像情報を含む映像情報信号の１画面を前記マルチディスプレイに１画面として表示させる際に、前記映像情報信号から、水平方向または垂直方向に隣り合う前記単位ディスプレイのベゼルに相当する部分を除き、前記単位ディスプレイそれぞれの表示領域に表示すべき領域の映像情報部分信号を抽出するようスケーリングし、前記映像データから分離された前記文字情報信号の１画面を前記マルチディスプレイに１画面として表示させる際に、水平方向または垂直方向に隣り合う前記単位ディスプレイのベゼルに相当する部分を除くことなく、前記文字情報信号の１画面を前記マルチディスプレイに含まれる前記単位ディスプレイの数で分割して、前記単位ディスプレイそれぞれの表示領域に表示すべき領域の文字情報部分信号を生成するようスケーリングし、
前記映像情報部分信号に前記文字情報部分信号を重畳し、前記映像情報部分信号と前記文字情報部分信号との重畳信号を対応するそれぞれの単位ディスプレイのフレーム信号として個別に供給することを特徴とする表示制御方法を提供する。
【００１３】
上記の表示制御方法において、前記映像データは、前記映像情報信号に対して前記文字情報信号が重畳されて、互いに分離可能な文字情報多重映像データであってよく、前記映像情報信号と前記文字情報信号とを信号分離することができる。
【００１４】
上記の表示制御方法において、前記映像データは、画面の一部に文字情報を含む映像データであり、前記映像データから前記文字情報を抽出し、前記文字情報以外の映像情報と前記文字情報とを分離することができる。
【発明の効果】
【００１５】
本発明の表示制御装置及び表示制御方法によれば、映像情報及び文字情報の双方を含む映像データをマルチディスプレイに表示する際に、映像情報が連続して表示されるので違和感が生じることなく、しかも、文字情報の一部が欠落しないので文字情報を正しく認識することが可能となる。
【図面の簡単な説明】
【００１６】
【図１】本発明の表示制御装置の第１実施形態を示すブロック図である。
【図２】マルチディスプレイの構成例を示す図である。
【図３】映像情報及び文字情報を含む映像データの例を示す図である。
【図４】図３の映像データから分離した映像情報信号を示す図である。
【図５】図３の映像データから分離した文字情報信号を示す図である。
【図６】第１実施形態によって、マルチディスプレイに表示される映像情報及び文字情報の状態を示す図である。
【図７】図６との比較のため、従来の表示方法によってマルチディスプレイに表示される映像情報及び文字情報の状態を示す図である。
【図８】本発明の表示制御装置の第２実施形態を示すブロック図である。
【図９】本発明の表示制御装置の第３実施形態を示すブロック図である。
【発明を実施するための形態】
【００１７】
以下、本発明の表示制御装置及び表示制御方法の各実施形態について、添付図面を参照して説明する。
【００１８】
＜第１実施形態＞
図１において、第１実施形態の表示制御装置１０１には、複数の単位ディスプレイＤ１１〜Ｄ３３が接続されている。任意の単位ディスプレイを単位ディスプレイＤと称することとする。単位ディスプレイＤ１１〜Ｄ３３は、図２に示すように、一例として、水平方向に３台、垂直方向に３台、計９台の単位ディスプレイＤをマトリクス状に配置している。単位ディスプレイＤの外形寸法は全て同じであるとする。
【００１９】
第１実施形態の表示制御装置１０１は、信号分離部１１，映像情報信号スケーリング部１２，文字情報信号スケーリング部１３，映像・文字重畳部１４，マルチディスプレイ設定部１５，制御部１６を備える。
【００２０】
第１実施形態の表示制御装置１０１には、映像情報信号に対して文字情報信号が付加情報として重畳され、互いに分離可能な文字情報多重映像データが入力される。信号分離部１１は、制御部１６による制御に基づいて、入力された文字情報多重映像データを映像情報信号と文字情報信号とに分離する。図３は、文字情報多重映像データによる所定の画面（フレーム）Ｆを示している。この画面Ｆは、映像情報Ｉｍ１と文字情報Ｉｍ２とを含む。映像情報Ｉｍ１は動画であってもよいし静止画であってもよい。図３においては、便宜上、画面Ｆを９分割した領域を理解しやすいよう水平方向及び垂直方向の破線を付している。
【００２１】
信号分離部１１は、図４に示す映像情報Ｉｍ１を有する映像情報信号と、図５に示す文字情報Ｉｍ２を有する文字情報信号とを出力する。図４，図５の画面Ｆは、図３の画面Ｆに対応した画面である。このように、信号分離部１１は、映像情報よりなる映像情報信号と文字情報よりなる文字情報信号とを互いに分離する。図４，図５においても、便宜上、画面Ｆを９分割する水平方向及び垂直方向の破線を付している。
【００２２】
マルチディスプレイ設定部１５には、単位ディスプレイＤ自体の情報と、複数の単位ディスプレイＤがどのように設置されてマルチディスプレイを構成しているかを示す情報とが設定されている。具体的には、マルチディスプレイ設定部１５には、図２に示す単位ディスプレイＤのベゼルＤbzの水平方向の幅Ｂｘと、垂直方向の幅Ｂｙとが設定されている。また、マルチディスプレイ設定部１５には、単位ディスプレイＤの映像表示面である表示領域Ｄｓの水平方向の幅Ｄｘと、垂直方向の幅Ｄｙとが設定されている。
【００２３】
さらに、マルチディスプレイ設定部１５には、水平方向に何台、垂直方向に何台の単位ディスプレイＤでマルチディスプレイを構成しているかが設定されており、複数の単位ディスプレイＤそれぞれがマルチディスプレイ内のどの位置の単位ディスプレイＤであるかを示す情報が設定されている。
【００２４】
これらのマルチディスプレイ設定部１５に設定されている各種の情報は、ユーザ設定により、使用する単位ディスプレイＤに合わせて、また、どのようにマルチディスプレイを構成するかによって、任意に変更・設定することができる。例えば、単位ディスプレイＤにオンスクリーンによってメニューを表示して、ユーザがメニューによって各種の情報を設定するように構成することができる。
【００２５】
制御部１６には、マルチディスプレイ設定部１５に設定されている各種の情報が入力される。制御部１６は、入力された各種の情報を用いて、映像情報信号スケーリング部１２が映像情報信号をシームレス方式でスケーリングするよう制御する。また、制御部１６は、入力された各種の情報を用いて、文字情報信号スケーリング部１３が文字情報信号をシームレス方式ではない通常表示方式でスケーリングするよう制御する。
【００２６】
まず、映像情報信号スケーリング部１２で実行されるシームレス方式による動作について説明する。マルチディスプレイが水平方向にＭｘ台、垂直方向にＭｙ台の単位ディスプレイＤで構成され、図２のようにマルチディスプレイを正面から見たときの左上から水平方向にX番目、垂直方向にY番目の単位ディスプレイＤが表示すべき映像情報信号の領域は次の式（１）〜（４）ように計算される。式（１）〜（４）において、単位ディスプレイＤが表示すべき映像情報信号の領域の左上の水平方向の位置をV_x1、左上の垂直方向の位置をV_y1、右下の水平方向の位置をV_x2、右下の垂直方向の位置をV_y2とする。図３〜図５に示すように、文字情報多重映像データ（映像情報信号及び文字情報信号）の画面Ｆの水平方向の幅をVx、垂直方向の幅をVyとする。
【００２７】
V_x1=[Bx+{(Dx+2Bx)×(X-1)}]/{(Dx+2Bx)×Mx}×Vx  …（１）
V_y1=[By+{(Dy+2By)×(Y-1)}]/{(Dy+2By)×My}×Vy  …（２）
V_x2=[Bx+{(Dx+2Bx)×(X-1)}+Dx]/{(Dx+2Bx)×Mx}×Vx  …（３）
V_y2=[By+{(Dy+2By)×(Y-1)}+Dy]/{(Dy+2By)×My}×Vy  …（４）
【００２８】
映像情報信号スケーリング部１２は、式（１）〜（４）に基づいて、それぞれの単位ディスプレイＤが表示すべき映像情報信号の領域を計算する。図４に示す映像情報Ｉｍ１を有する映像情報信号は、見かけ上、図２の単位ディスプレイＤ１１の左上角部と、単位ディスプレイＤ１３の右上角部と、単位ディスプレイＤ３１の左下角部と、単位ディスプレイＤ３３の右下角部とで囲まれた矩形の範囲に表示されることになる。
【００２９】
映像情報信号スケーリング部１２は、上記の計算によって、映像情報信号を表示する矩形の範囲における水平方向または垂直方向に隣り合う単位ディスプレイＤのベゼルＤbzの部分を除いた単位ディスプレイＤそれぞれの表示領域Ｄｓに表示すべき映像情報信号の領域を抽出する。単位ディスプレイＤそれぞれの表示領域Ｄｓに表示すべき映像情報信号の領域内の信号を映像情報部分信号と称することとする。
【００３０】
次に、文字情報信号スケーリング部１３で実行される通常表示方式による動作について説明する。マルチディスプレイが水平方向にＭｘ台、垂直方向にＭｙ台の単位ディスプレイＤで構成され、図２のようにマルチディスプレイを正面から見たときの左上から水平方向にX番目、垂直方向にY番目の単位ディスプレイＤが表示すべき文字情報信号の領域は次の式（５）〜（８）ように計算される。
【００３１】
V_x1=[{Dx×(X-1)}/(Dx×Mx)]×Vx)  …（５）
V_y1=[{Dy×(Y-1)}/(Dy×My)]×Vy)  …（６）
V_x2={(Dx×X)/(Dx×Mx)}×Vx  …（７）
V_y2={(Dy×Y)/(Dy×My)}×Vy  …（８）
【００３２】
文字情報信号スケーリング部１３は、式（５）〜（８）に基づいて、それぞれの単位ディスプレイＤが表示すべき文字情報信号の領域を計算する。図５に示す文字情報Ｉｍ２を有する文字情報信号は、図５に破線で示す９分割したそれぞれの領域が図２に示すマルチディスプレイの対応する単位ディスプレイＤの表示領域Ｄｓに表示されることになる。文字情報信号スケーリング部１３は、水平方向または垂直方向に隣り合う単位ディスプレイＤのベゼルＤbzに対応する部分を除くことなく、図５の文字情報信号を９分割した領域の信号を生成する。単位ディスプレイＤそれぞれの表示領域Ｄｓに表示すべき文字情報信号を分割した領域内の信号を文字情報部分信号と称することとする。
【００３３】
図１に戻り、映像情報信号スケーリング部１２によってシームレス方式でそれぞれの単位ディスプレイＤに対応させてスケーリングした映像情報信号（映像情報部分信号）と、文字情報信号スケーリング部１３によって通常表示方式でそれぞれの単位ディスプレイＤに対応させてスケーリングした文字情報信号（文字情報部分信号）は、映像・文字重畳部１４に入力される。映像・文字重畳部１４は、制御部１６による制御に基づいて、映像情報信号スケーリング部１２より出力された映像情報部分信号に文字情報信号スケーリング部１３より出力された文字情報部分信号を重畳することにより文字情報重畳映像信号（重畳信号）を生成する。
【００３４】
映像・文字重畳部１４は、制御部１６による制御に基づいて、それぞれの単位ディスプレイＤに表示するフレーム信号を単位ディスプレイＤごとに個別に生成する。即ち、映像・文字重畳部１４は、個々の単位ディスプレイＤが表示すべき映像情報信号の領域及び文字情報信号の領域を抜き出して個々の単位ディスプレイＤに表示すべきフレーム信号とする。この際、映像・文字重畳部１４は、フレーム信号に水平及び垂直同期信号を付加して、それぞれの単位ディスプレイＤに供給する。なお、映像・文字重畳部１４は、文字情報重畳映像信号を単位ディスプレイＤごとのフレームに分割した信号の解像度を変換してそれぞれの単位ディスプレイＤに供給してもよい。映像・文字重畳部１４とは別の回路ブロックで同期信号の重畳や解像度変換を行ってもよいことは勿論である。
【００３５】
図６は、第１実施形態の表示制御装置１０１による制御に基づいて、単位ディスプレイＤ１１〜Ｄ３３よりなるマルチディスプレイに表示される映像情報及び文字情報の状態を示している。図６に示すように、映像情報Ｉｍ１は単位ディスプレイＤのベゼルＤbzによって分断されてはいるものの、隣接する単位ディスプレイＤ間で映像情報Ｉｍ１が連続するように表示されている。なお、ここでの連続とは、実際には映像情報Ｉｍ１が分断されてはいるが、連続している映像情報Ｉｍ１の一部があたかもベゼルＤbzの部分で隠れているように見えて、違和感を覚えることなく見ることができる状態であるとする。
【００３６】
また、図６に示すように、文字情報Ｉｍ２はベゼルＤbzの部分が除かれることがないので、文字情報Ｉｍ２の一部が欠落することなく、文字情報Ｉｍ２の全てが表示されている。従って、マルチディスプレイを見ている人は文字情報Ｉｍ２を正しく認識することができる。
【００３７】
このように、第１実施形態の表示制御装置１０１によれば、映像情報及び文字情報の双方を含む映像データをマルチディスプレイに表示する際に、映像情報が連続して表示されるので違和感が生じることなく、しかも、文字情報の一部が欠落しないので文字情報を正しく認識することができる。
【００３８】
図７（Ａ），（Ｂ）は、第１実施形態による図６に示す表示状態との比較のための表示状態を示している。図７（Ａ）は、図３の映像データの全体を通常表示方式でマルチディスプレイに表示した状態を示しており、図７（Ｂ）は図３の映像データの全体をシームレス方式でマルチディスプレイに表示した状態を示している。図７（Ａ）では文字情報Ｉｍ２の全てが表示されているものの、映像情報Ｉｍ１が不連続となって違和感のある表示状態となる。図７（Ｂ）では映像情報Ｉｍ１が連続するように表示されているものの、文字情報Ｉｍ２の一部が欠落して文字情報Ｉｍ２を正しく理解することができない表示状態となる。
【００３９】
第１実施形態の表示制御装置１０１によれば、図７（Ａ），（Ｂ）それぞれの不具合を解消して、連続的な映像情報の表示と、欠落のない文字情報の表示とを両立させることができる。
【００４０】
＜第２実施形態＞
図８を用いて第２実施形態の表示制御装置１０２について説明する。図８において、図１と同一部分には同一符号を付し、その説明を省略することとする。第２実施形態の表示制御装置１０２においては、表示制御装置１０２に入力される映像データが、第１実施形態の場合のような文字情報多重映像データではなく、画面の一部に文字情報を含むような映像データであるとする。
【００４１】
図８において、映像・文字分離部２１は、入力された映像データに含まれている文字情報を抽出して文字情報以外の映像情報と文字情報とを分離する。映像・文字分離部２１は、文字情報抽出部２１０を有する。映像データに含まれている文字情報を抽出する技術は、例えば、映像データに含まれている字幕を抽出して移動させる字幕移動回路に採用されている公知の技術を用いればよい。映像・文字分離部２１は、文字情報を抜き出した部分に周囲の映像情報を補間して埋め込み、文字情報のない映像情報信号を生成する。
【００４２】
映像・文字分離部２１に入力される映像データの所定の画面Ｆが図３と同様の映像であったとすると、映像・文字分離部２１からは、図４と同様の文字情報のない映像情報信号と、文字情報抽出部２１０によって抽出した図５と同様の文字情報信号とが出力される。映像情報信号スケーリング部１２，文字情報信号スケーリング部１３，映像・文字重畳部１４，マルチディスプレイ設定部１５，制御部１６それぞれの動作は、第１実施形態の表示制御装置１０１と同じである。
【００４３】
第２実施形態の表示制御装置１０２においても、第１実施形態の表示制御装置１０１と同様、映像情報及び文字情報の双方を含む映像データをマルチディスプレイに表示する際に、映像情報が連続して表示されるので違和感が生じることなく、しかも、文字情報の一部が欠落しないので文字情報を正しく認識することができるという効果を奏する。
【００４４】
＜第３実施形態＞
第１，第２実施形態においては、マルチディスプレイの全体に対して１つの表示制御装置１０１，１０２を接続して、映像・文字重畳部１４でそれぞれの単位ディスプレイＤに供給するフレーム信号に分割するよう構成したが、表示制御装置１０１，１０２と単位ディスプレイＤとを１対１で設けてもよい。
【００４５】
図９に示す第３実施形態は、表示制御装置１０１，１０２と単位ディスプレイＤとを１対１で設けた場合の構成を示している。第１実施形態の表示制御装置１０１を単位ディスプレイＤに接続する場合には、上述した文字情報多重映像データが表示制御装置１０１入力される。第２実施形態の表示制御装置１０２を単位ディスプレイＤに接続する場合には、上述した映像データが表示制御装置１０２入力される。図９においては、図１，図８に示すユーザ設定の入力を省略しているが、それぞれの表示制御装置１０１，１０２には上述したユーザ設定がなされている。
【００４６】
それぞれの表示制御装置１０１，１０２には、図３に示すような文字情報多重映像データ（または映像データ）が入力される。それぞれの表示制御装置１０１，１０２は、制御部１６による制御に基づいて、接続されている単位ディスプレイＤの位置に対応させて、単位ディスプレイＤに表示するフレーム信号を個別に生成する。第３実施形態においても、映像・文字重畳部１４は、フレーム信号に水平及び垂直同期信号を付加して、接続されている単位ディスプレイＤに供給すればよく、必要に応じて解像度を変換すればよい。同様に、映像・文字重畳部１４とは別の回路ブロックで同期信号の重畳や解像度変換を行ってもよい。
【００４７】
本発明は以上説明した第１〜第３実施形態に限定されることなく、本発明の要旨を逸脱しない範囲において種々変更可能である。マルチディスプレイは水平方向または垂直方向のみに配列させた状態であってもよく、配列の仕方及び単位ディスプレイＤの台数は任意である。複数の単位ディスプレイを水平方向と垂直方向との少なくとも一方に並べて配置してマルチディスプレイとすればよい。
【符号の説明】
【００４８】
１１  信号分離部（分離部）
１２  映像情報信号スケーリング部
１３  文字情報信号スケーリング部
１４  映像・文字重畳部
１５  マルチディスプレイ設定部
１６  制御部
２１  映像・文字分離部（分離部）
１０１，１０２  表示制御装置
２１０  文字情報抽出部
Ｄ１１〜Ｄ３３  単位ディスプレイ
【図１】
2013171054.tif 000003
【図２】
2013171054.tif 000004
【図３】
2013171054.tif 000005
【図４】
2013171054.tif 000006
【図５】
2013171054.tif 000007
【図６】
2013171054.tif 000008
【図７】
2013171054.tif 000009
【図８】
2013171054.tif 000010
【図９】
2013171054.tif 000011